(57)【特許請求の範囲】
【請求項１】
バルーンカテーテルと共に使用するための圧力解放装置であって、
ネジシャフトに連結されたプランジャ、及び排出口が設けられた先端を有する膨張装置であって、前記プランジャを前記排出口に向けて押し進めることにより、前記プランジャと前記排出口との間の流体が前記排出口から前記バルーンカテーテル内へ強制的に押し出される膨張装置と、
前記ネジシャフトのネジと一致するネジを有する係合装置と、
前記係合装置を、第１の位置又は第２の位置に動かすためのレバーとを備え、
前記係合装置が第１の位置に配置されているとき、前記プランジャの移動に前記ネジシャフトの捻れが必要となるように前記ネジシャフトのネジに対し前記係合装置のネジが螺合され、前記係合装置が第２の位置に配置されているとき、前記プランジャの移動に前記ネジシャフトの捻れが不要となるように前記ネジシャフトのネジと前記係合装置のネジとの係合が解除され、
前記レバーは、前記係合装置の近傍に配置された回動点を中心として回動すると共に、前記レバーは、前記回動点の付近の開口を更に含み、前記開口は、第１切欠と第２切欠とを備えて形成され、前記第１切欠は前記第２切欠に近接し、
前記係合装置は、前記係合装置を前記第１の位置に保持するように付勢する１又は複数のばねを備えている装置。
【請求項２】
請求項１に記載の圧力解放装置は、前記係合装置の近傍に配置されたカラーを更に備えている装置。
【請求項３】
請求項１に記載の圧力解放装置において、
前記レバーは前記係合装置に取付けられている装置。
【請求項４】
請求項３に記載の圧力解放装置において、
前記レバーが前記第１の位置と対応する位置に配置されると、前記係合装置が前記第１の位置に配置され、前記レバーが前記第２の位置と対応する位置に配置されると、前記係合装置が前記第２の位置に配置される装置。
【請求項５】
請求項１に記載の圧力解放装置において、
前記第１の位置と対応する位置から前記第２の位置と対応する位置への前記レバーの移動によって、前記ばねの付勢に打ち勝つと共に、前記第１の位置から前記第２の位置への前記係合装置の移動を生じさせる装置。
【請求項６】
請求項１に記載の圧力解放装置において、
前記第１の位置と対応する位置から前記第２の位置と対応する位置への前記レバーの完全な又は部分的な移動によって、前記第１切欠から前記第２切欠への前記レバーの回動点の移動を生じさせ、前記係合装置及び前記プランジャの両方の近接移動を生じさせる装置。
【発明の詳細な説明】
【技術分野】
【０００１】
本発明は、バルーンカテーテルのための圧力解放装置に関する。特に、本発明は、インフレーションルーメン、及び又は、バルーン血管形成用カテーテルのバルーン内の圧力を解放するための装置に関する。
【背景技術】
【０００２】
近年、様々な治療法に対してバルーンカテーテルの利用が非常に増加している。カテーテルの取り扱い方の進歩が、バルーンカテーテルに対して身体の様々な部位における利用を益々増大させている。バルーンカテーテルでは、多くの場合患者の身体内にカテーテルを導入し、膨張させる正確な位置まで押し進めたとき、バルーンを膨張させるための圧力を生成する何らかの膨張装置が必要となる。
【０００３】
膨張装置は、多くの場合、改良された注射器として機能するバルーンカテーテルに連結されている。注射器は、両端が開口された円筒容器を備えた装置であって、一方は通常小さく開口され、他方はそれよりも大きく開口されている。プランジャは、円筒室の内壁にこれを閉塞しつつ嵌め込まれるが、滑動可能であって、小開口に液体を通過させるため大開口から小開口に向けて押し進められる一方、プランジャは、小開口を通じて液体を円筒容器内に吸い込むため小開口から大開口に向けて引張られる。プランジャは、通常、シャフトの一端に装着され、シャフトの他端は、注射器の大開口から外部に突出している。バルーンカテーテルと共に使用する膨張装置は、多くの場合、プランジャを進退するネジノブに連結されたネジシャフトを用いて説明されるだけの単純な注射器を改良してなる。
【０００４】
時々、処置中に、患者は、カテーテルバルーンの膨張が原因で不快感や痛みを感じ始めることがある。時には、不快感や痛みが、その処置に伴う重大な問題の潜在的な指標となることがある。例えば、経皮経管的血管形成の処置中、患者の痛みや不快感が、酸素不足による組織死の初期を示唆するかもしれない。そうした状況では、身体機能を元の正常な状態に戻す、例えば、血液の流れの正常化や酸素化のためにはバルーンを迅速に収縮させることが望ましい。他の処置では、バルーンの膨張により膨らんだ組織の裂傷や損傷、流体流れの中断、又は患者の不快感や痛みが、バルーンの膨張により増大するかもしれない。そうした状況下で、カテーテルバルーン内の圧力を迅速に減じるための高信頼性の装置が望まれている。
【発明の開示】
【発明が解決しようとする課題】
【０００５】
外科医が直面する問題の一つに次のようなものがある。即ち、カテーテル装置に使用される多くの構成部品が比較的柔軟な金属やプラスチックよりなるため、高圧条件下で膨張装置内の所定位置にプランジャを保持するためのネジが、負荷がかかることにより一時的に変形し、又、より高い高圧条件下では部品間の摩擦による「粘着」が一層顕著になる一方であり、それらによりバルーン内で高められた圧力の解放を困難なものにしている。従って、本発明の目的は、カテーテルバルーン内の圧力をより迅速に解放するための方法を提供することである。
【課題を解決するための手段】
【０００６】
本発明は、カテーテルバルーン内の圧力を解放するための原理を取り入れた複数の膨張装置の実施形態を含む。種々の実施形態において、圧力解放装置は、バルーンを膨張するバルーンカテーテルに連結される注射器型膨張装置を改良したものと共に使用するために提供される。改良された注射器型膨張装置は、滑動可能に配置されたプランジャを進退させるネジシャフトを備え、ネジシャフトは、円筒室にこれを閉塞しつつ嵌め込まれている。改良された注射器型膨張装置は、ネジシャフトに加えて、ネジシャフトのネジに螺合される係合装置を備えている。係合装置は、２つの位置を取り得て、一つは、ネジシャフトに係合される第１の位置、もう一つは、ネジシャフトと係合しない第２の位置である。ネジシャフトに対して係合装置を捻る（又は、同様に、係合装置に対してネジシャフトを捻る）ことで係合装置がネジシャフトに係合されている間、円筒室内でプランジャを強制的に進退させることができる。第２の位置では、ネジ同士の係合が解除されているため圧力が迅速に解放され、プランジャが迅速に引き戻される。本発明は、一般的に、係合装置をこれが係合されている第１の位置、又は係合されていない第２の位置に調節する装置に関し、更には、係合装置の位置変更を、より簡単に、迅速に、又は手際よく効果的に行うための装置及び原理に関する。
【０００７】
種々の実施形態では、医師や他の者が決定してから係合装置を第２の位置に移動して圧力が解放されるまでの間、係合装置が係合されている第１の位置に保持するための装置を備えている。種々の実施形態では、円筒室内の圧力がかなり高くても、医師や他の者が係合装置の係合を解除することの可能な装置を更に備えている。いくつかの実施形態では、係合装置がそれ自身のネジ、又はネジシャフトのネジを損傷させることなく係合を解除する方法を確保した装置を更に備えている。
【０００８】
種々の実施形態において、係合装置は、ネジシャフトの外周部においてのみネジシャフトと係合するように設計されている。従って、係合装置は、分解することなく、ネジシャフトから離れるように移動することができる。種々の係合装置は、ネジシャフトの外周部の全体に亘り係合が達成されると同時に使用することが可能になる。種々の実施形態において、係合装置は、係合装置をネジシャフトから離間させる、又はネジシャフトに向けて移動させるための移動装置を備えている。移動装置は、以下、詳細に示される典型的な実施形態中に記載される、係合装置の拡張部、レバー、ばね、ギア、リンク、また、それらを組み合わせて備えてもよい。
【０００９】
例えば、係合装置は、回動軸中心に移動可能な可動レバーに連結されている。本実施形態において、係合装置は、レバーが第１の位置に配置されているとき、ばねによってネジシャフトに押されている。一方で、レバーが第２の位置に配置されているとき、係合装置はネジシャフトから引き離されて、係合が解除されている。レバーを用いた別の実施形態では、バックル付カラーが、係合装置を所定の位置に保持すると共に、ネジシャフトとの係合を保持するために備えられている。バックル付カラーのバックルが外され、緩められると、レバーは、係合装置をネジシャフトから引き離すと共に係合を解除する。種々の他の実施形態もまた、レバーの利用を含み、以下により詳細に示される。
【００１０】
別の実施形態において、係合装置はギアに連結され、ギアの歯は、カラーの内側に設けられた軌道に接し、かつ噛み合う歯を有している。本実施形態において、係合装置は、カラーが第１の位置に配置されているとき、ばねによってネジシャフトに押される。一方、カラーが第２の位置に配置されているとき、ギアが固定ピンを中心に回動しリンクを引張り、ネジシャフトから係合装置が引き離されて、係合が解除される。
【００１１】
種々の実施形態は、ネジシャフトから係合装置を迅速に離すための迅速離間装置を更に備え、ネジシャフトのネジと係合装置のネジとを保護するようにしている。ある実施形態において、迅速離間装置は、係合解除の完了前に、退避されるネジシャフトのネジと係合装置のネジとが互いに接触しないように係合解除させることについて、ネジシャフトの中央軸と係合装置のネジ凹部との間の距離が充分に確保されるように係合装置が引き離されることを可能にする。
【００１２】
種々の実施形態において、迅速離間装置は、係合装置の第１部材と第２部材とを連結するばねを備えている。種々の実施形態において、係合装置の第１部材は、ネジシャフトから係合装置を引き離す力が直接付与される部位で、係合装置の第２部材は、ネジシャフトと接するようになる部位である。ある実施形態において、係合装置の第１部材がネジシャフトから引き離されると、ばねは引張られるものの、係合装置のネジとネジシャフトとの間には、ばねと平行な動きを阻止するのに充分な強さの力が残存している。この実施形態において、ネジシャフトに係合装置のネジを保持する力に打ち勝つのに充分な力がばねに付与される前に所定量だけ伸びるばねが選択されている。ばねに対し十分な力が加えられると、係合装置の第２の部材はネジシャフトから離間され、完全な係合解除を保証するための充分な距離、引き戻される。
【発明を実施するための最良の形態】
【００１３】
以下の詳細な説明は図を参照して読むべきで、同一参照番号は、各図を通して同一の構成要素を示している。詳細な説明及び図は、請求の範囲に記載された発明についてその一例を示している。
【００１４】
図１は、バルーンカテーテル１０の平面図である。バルーンカテーテル１０は、基端１４及び先端１６を有した細長部材１２を備えている。先端１６の付近にはバルーン１８が備えられている。バルーン１８は、流体を通じてルーメン２６に連通され、続いて、カップリング２９を含むポート２７に連通されている。カップリング２９は、注射器又は他の膨張装置に取付けられ、注射器の出口に配置され、流体中を通じてルーメン２６に連通されている。
【００１５】
圧力解放装置は、バルーン１８の膨張時に圧力の速やかな解放が要求される状況下でバルーン１８を収縮させるため、バルーン１８を膨張させている圧力が速やかに解放されるように、注射器又は他の膨張装置に取付けられる、又はそれらの内部に組み込られている。そのような状況の一例が、経皮経管的血管形成（ＰＴＣＡ）の処置中に生じる場合がある。この場合、バルーン１８は、血流を阻止するため血管内において膨張されることがある。しばらくすると、正常時にその閉塞された血管から酸素及び血液の供給を受ける一部組織は、所定の場所でバルーン１８が膨張されないことにより酸素欠乏に陥り始め、処置を受けている患者に症状が現れることがある。そのような場合、バルーン内の圧力を迅速に解放することが必要となる。しかし、注射器、ルーメン２６、及びバルーン１８内の圧力はかなり高くなっており、圧力の速やかな解放を一層困難なものにしている。それにより、圧力解放装置は、注射器、又は膨張装置の好ましい実施形態に備えられている。
【００１６】
図２は、本発明の実施形態の範囲から一部裁断したものの平面図である。圧力解放装置２８は、注射器のシリンダ３２又は他の膨張装置の内側に配置される注射器又は他の膨張装置のためのプランジャ３０を備えている。ネジシャフト３６はプランジャ３０に連結されている。ネジシャフト３６とプランジャ３０との境界は、いくつかの実施形態において、プランジャ３０の回転を要しないでネジシャフト３６が回転することを許容している。プランジャ３０と出口３４との間には膨張媒体３８が満たされている。バルーンカテーテルの使用ため、膨張媒体として様々な材料が公知で、例えばマグネシウム溶液やその他の膨張媒体が挙げられる。多くの実施形態において、出口３４は、例えば図１に示すバルーンカテーテルに連結され、また、図１中のカップリング２９を通じてポート２７に連結される。
【００１７】
プランジャ３０が出口３４に向けて押し進められると、膨張媒体３８が出口３４から外部へと強制的に押し出される。出口３４がバルーンカテーテルの一部に連結され、流体中でインフレーションルーメンを通じてバルーンに連通されていれば、膨張媒体３８はバルーン内に強制的に押し込まれる。バルーンに膨張媒体が充填されると、バルーン、連結箇所又はインフレーションルーメン、及びプランジャ３０と出口３４との間の圧力が高められる。バルーンカテーテルを使用する種々の医療処置の場合、バルーンは、その直径又は内圧が所定のレベルに到達するまでの間、充填される。プランジャが出口３４から引き離されるのであれば、膨張媒体３８は、プランジャ３０と出口３４との間の空間に吸い戻される。本発明の種々の実施形態において、プランジャ３０は、係合装置に対しネジシャフト３６を捻ることにより進退される。即ち、ある段階では、ネジシャフト３６に設けられたネジの縦方向の隙間が、ネジシャフト３６の中心軸線と平行な向きにネジシャフト３６の移動を案内する一方、それとは別の段階では、単にネジシャフト３６を引く又は押すだけでプランジャを進退させることができる。
【００１８】
図２に示す実施形態において、係合装置５０はシリンダ３２内の開口４８から突出している。係合装置５０は、ネジシャフト３６のネジと噛み合うネジ又は他の突起を備えることができる。本発明の種々の実施形態で用いられる係合装置についてネジや他の突起の実例が図９Ａ，図９Ｂ，図１０Ａ，及び図１０Ｂに示されている。しかし、それら係合装置のネジ又は突起の実例は全ての列挙を含むものではない。ネジシャフトに対応する、噛み合う、又は相互作用することのできる任意の機構又は装置であってもよく、ネジシャフトは、ヘリカル状のネジシャフト、複数のリングを連続的に隣接させたもの、又、それらと同等のものであってもよい。
【００１９】
更に、ネジシャフトは様々な種類のもの、例えば円筒体、円錐体、又は非連続的な円筒体でもよく、シャフトの中心軸線上のある点を選択すれば、シャフト周囲の所定部位にネジが現れ、その他の範囲は平坦であるか、切り込まれているか、又は切除されていてもよい。同様に、ネジ自体は、例えば、ギザギザ状の、又は鋸歯状の外縁よりも連続的な外縁を有してもよく、また先端の尖った、又は先端を細くした外縁を有してもよく、また、その代わりに、先端が丸みを帯びた形状、直角、又は多角形にしてもよい。様々なネジシャフトが機械技術を通じて知られ、それらの多くは、本発明の様々な実施形態と同等の機能を発揮する。
【００２０】
図２の実施形態において、係合装置５０は、延長部５２とばね４６とに連結されている。ばね４６は、シリンダ３２の収納部４４内に配置されている。カラー５４は、係合装置５０及び収納部４４を包囲し、封入するように示されている。カラー５４の内壁６０はシリンダに対して平坦ではなく、位置６４では縮径され、別の位置６６では位置６４よりも大径とされている。
【００２１】
図２の実施形態として、カラー５４は、矢印６２に示されるように前後に滑動可能である。図２に示すように、カラー５４が第１の位置に配置されるとき、延長部５２が縮径された位置６４でカラー５４の内壁６０と接触し、係合装置５０がネジシャフト３６に圧接されて係合装置５０のネジとネジシャフト３６とが係合される。係合装置５０のネジとネジシャフト３６とが係合されると、プランジャ３０を進退させるにはネジシャフトの捻れが必要となる。なお、本明細書の目的として、このことが“係合”の定義となる。カラー５４が別の位置に配置されるとき、延長部５２がより大径な位置６６でカラー５４の内壁６０と接触し、ばね４６は、ネジシャフト３６から離れる方向へ係合装置５０を押すように付勢し、係合装置５０のネジとネジシャフト３６との係合を解除する。ネジシャフト３６のネジと係合装置５０との係合が解除されると、プランジャ３０はネジシャフト３６の捻りを必要とせずに、ネジシャフト３６を押す又は引くことにより進退可能となる。本明細書の目的として、このことが、“係合解除”の定義となる。
【００２２】
図３は、図２の３−３線に概ね沿った実施形態の断面図である。図３において、ネジシャフト８０は、第１の位置９０と第２の位置９４とを取り得る係合装置と共に示されている。第１の位置９０（実線）に配置されているとき、係合装置とネジシャフト８０との係合が解除され、第２の位置９４（点線）に配置されているとき、位置９６での接触によって示されるように、係合装置とネジシャフト８０とが係合されている。図３の実施形態において、ばね８６は、注射器型シリンダ壁内の収納部８８の内側に収納されている。ばね８６は、カラー８１の内壁８２，８４に係合装置を押し付けている。カラー８１が第１の位置に配置されているとき延長部９２が押し付けられる内壁８２（内壁８２からネジシャフト８０に至る距離）は、カラー８１が第２の位置に配置されているとき延長部９２が押し付けられる内壁８４（内壁８４からネジシャフト８０に至る距離）よりも大径をなしている。カラー８１の内壁の径が大径から小径に変更されることで、係合装置の位置が第１の位置９０から第２の位置９４へと変更される。
【００２３】
図４は、本発明の別の実施形態を一部裁断したものの平面図である。圧力解放装置３２８はプランジャ３３０を備え、そのプランジャ３３０は、出口３３４を有したシリンダ３３２内に配置されている。プランジャ３３０と出口３３４との間には膨張媒体３３８が満たされ、ネジシャフト３３６はプランジャ３３０の反対側に取付けられている。
【００２４】
係合装置３４２は、ばね３４６と共に、シリンダ３３２の壁からなる収納部３４０内に配置されている。ばね３４６は、係合装置３４２をネジシャフト３３６に押すように付勢している。シリンダ３３２の開口３４８は、収納部３４０と反対側に位置している。延長部３５０は、係合装置３４２に連結されると共に、開口３４８を通じてボタン３６８に接触している。ボタン３６８は、収納部３４０及び開口３４８が設けられたシリンダ３３２の領域を包囲するカラー３５４に組み込まれている。カラー３５４は、矢印３６０で示されるように滑動可能である。ボタン３６８の内壁３７０には、より大径３７４となる部位と、より小径３７２となる部位とが設けられている。延長部３５０とボタン３６８との接触点には接触輪３５２が設けられ、接触輪３５２は、矢印３６０で示される方向へのカラー３５４の移動をより容易にすることを補助するためのものである。
【００２５】
延長部３５０とボタン３６８との接触が大径３７４（図４に示される）に対応する内壁３７０の部位にて生じたとき、ばね３４６は係合装置３４２をネジシャフト３３６に押し付けて、係合装置３４２とネジシャフト３３６とを係合させる。しかし、ボタン３６８が押されれば、ボタン３６８は、ばね３４６の付勢に抗して延長部３５０に押し付けられる。そして、係合装置３４２がネジシャフト３３６から離れるように移動し、係合装置３４２とネジシャフト３３６との係合が解除される。
【００２６】
また、図４の実施形態において、延長部３５０とボタン３６８とが小径３７２に対応する内壁３７０の部位で接触するようにカラー３５４が移動すれば、ボタン３６８は、ばね３４６の付勢に抗して延長部３５０に押し付けられ、同様に、係合装置３４２とネジシャフト３３６との係合が解除される。このように、図４の実施形態は、係合装置３４２とネジシャフト３３６との係合を解除する２つの方法を示している。図４の実施形態として、膨張媒体３３８が低圧であるときには、係合解除のためボタン３６８を押すことができる。一方で、膨張媒体３３８が高圧であるときには、係合解除のためカラー３５４を滑動することができる。
【００２７】
図５は、本発明に係る圧力解放装置５０１の実施形態を一部裁断したものの平面図である。係合装置３４２はプランジャ４３０を備え、そのプランジャ４３０は、出口４３４を有したシリンダ４３２内に配置されている。プランジャ４３０と出口４３４との間には膨張媒体４３８が満たされ、プランジャ４３０の反対側にはネジシャフト４３６が装着されている。
【００２８】
係合装置４４２は、シリンダ４３２の第１開口４４０内に配置されている。シリンダ４３２内において第２開口４４８から突出された延長部４５０は、係合装置４４２に連結されると共にその係合装置４４２の位置を制御する。第１及び第２開口４４０，４４８は、種々の実施形態において一つの開口を形成するように繋げてもよい。リンク４７８は、ピン４７６と共に延長部４５０に取付けられている。また、リンク４７８は、第２のピン４７４と共にカラー４５４にも取付けられている。カラー４５４は、平衡位置に偏位されていない状態でカラー４５４と両開口４４０，４４８との間に正味の力を作用するばね４４７に連結されている。カラー４５４の内壁４５８に、シリンダ４３２から突出した突起４４６に対応する切欠４４５が設けられている。突起４４６の設定配置は変更可能である。例えば、カラー４５４は、係合装置４４２の位置から離れて延びる第２の突起を備えてもよく、それは前記突起４４６に対応させてもよく、また、同じ実施形態において複数の突起４４６を用いてもよい。
【００２９】
リンク４７８は、カラー４５４の移動に伴って移動するように構成されている。図５の実施形態において、ばね４４７が概ね平衡位置に偏位されて第１の位置にカラー４５４が位置しているとき、リンク４７８は延長部４５０を押して係合装置４４２とネジシャフト４３６とを係合させる。突起４４６、及び対応する内壁４５８の切欠の位置は、ばね４４７が概ね平衡位置に偏位されて係合装置４４２とネジシャフト４３６とが係合しているとき、切欠４４５内で突起４４６が広がるように設定されている。係合装置４４２とネジシャフト４３６との係合を維持するため、ばね４４７の平衡位置と切欠４４５及び突起４４６の一致とを組み合わせて考慮されている。
【００３０】
また、図５の実施形態においても、カラー４５４は、両開口４４０、４４８に対して滑動可能で、ばね４４７の正味の力に抗して押すと切欠４４５から突起４４６が離れるようになっている。カラー４５４が滑動すると、リンク４７８は別の角度に引張られて、延長部４５０の移動が生じる。そして、係合装置４４２がネジシャフト４３６から離れるように移動することにより、係合が解除される。
【００３１】
図６に表される別の圧力解放装置６０１は、ノブ６０２、プランジャ６０４、係合装置６２０、レバー６２２、カラー６２６、及び係合装置６２０を第１の位置に保持する１以上のばね６２８を備えている。圧力解放装置６０１は、第１切欠６７２と、第１切欠６７２の先端に位置する第２切欠６７３とからなる開口６７１を有したレバー６２２を除いて、実質的には、前記圧力解放装置５０１と同じ形状をなし、同じ機能を有している。開口６７１を備えることによって、レバー６２２を完全に又は部分的に押すことで、第１切欠６７２及び第２切欠６７３間にてピン６２４の移動を生じさせる。例えば、図７Ａに示されるようにレバー６２２が部分的に作動すると、ピン６２４は第１切欠６７２から第２切欠６７３へと移動する。
【００３２】
この移動が、結果として、係合装置６２０及びプランジャ６０４の近接移動を生じさせる。比較的短い距離（例えば、第１切欠及び第２切欠間の距離）プランジャ６０４を移動させることによって、プランジャ６０４に作用する流体圧は、ノブ６０２によるプランジャ６０４の正回動又は逆回動が容易に行える程度の大きさにまで低下する。更に、レバー６２２を第２の位置まで完全に押すことによって、ばね６２８の付勢に打ち勝つと共に、図７Ｂに示されるように、プランジャ６０４から係合装置６２０が解放される。
【００３３】
図８は、ノブ１００２、プランジャ１００４、係合装置１０２０、レバー１０２２、ピン１０２４、カラー１０２６、及び係合装置１０２０を第１の位置に保持する１以上のばね１０２８を備えた別の圧力開放装置１００１である。上述したものと同様に、レバー１０２２は、第１切欠１０７２と第２切欠１０７３とを有した開口１０７１を備え、レバー６２２と類似した機能を発揮する。図８の実施形態によれば、係合装置１０２０は、プランジャ１００４に螺合されるように形成され、構成されたナット１０７４を備えている。ばね１０２８の両端は、カラー１０２６とナット１０７４とに対しそれぞれ対向している。ばね１０２８は、プランジャ１００４にナット１０７４を押し付けるのに充分な力を同ナット１０７４に作用するよう偏位されている。
【００３４】
レバー１０２２は、例えばばねによってナット１０７４に連結されている。レバー１０２２に対するナット１０７４の縦方向の位置を維持するため、レバー１０２２とナット１０７４との間に１以上のレール１０７５を配設されている。レバー１０２２を完全に又は部分的に押すことによって、第１切欠１０７２から第２切欠１０７３へとピン１０２４を移動させることができる。この移動が、上述したようなプランジャ１００４の動きを生じさせる。更に、ばね１０２８は、プランジャ１００４にナット１０７４を押すように偏位されている。そのため、プランジャ１００４の位置が近接移動する際に、ナット１０７４とプランジャ１００４との係合を保つための助けとなる。レバー１０２２を更に又は完全に押すことによって、ばね１０２８の付勢に打ち勝つのに充分な力をナット１０７４に追加して作用させると、プランジャ１００４から係合装置１０７４が解放される。
【００３５】
図９Ａ〜図９Ｂは、係合位置、歯止め位置、及び非係合位置におけるネジの拡大図である。図９Ａは、ネジ５６２を有したネジシャフト５６０と、それに係合するネジ５５２を有した係合装置５５０とを示している。同図には、係合深さ５７５が、ネジとそれに係合するネジとの重複部分として示されている。係合装置５５０とネジシャフト５６０とにそれぞれ逆向きの力が作用すると、各ネジ５６２とネジ５５２とが接触５７０する。係合装置５５０から離れるようにネジシャフト５６０を移動させるための力を作用するのであれば、その力は、接触５７０により生じる摩擦力（静的及び動的なものの両方）に打ち勝つ必要がある。更に、一般的なカテーテル装置に関して言えば、比較的撓み易い素材やプラスチックからなるため、それにより変形が生じたり、また接触５７０での摩擦が更に増大したりするおそれがある。
【００３６】
図９Ｂは、ネジシャフト６１０と係合装置６００とが分離されているときに生じ得る問題を示している。ネジシャフト６１０及び係合装置６００は幾分距離をおいて移動するが、その距離は、各ネジ６１２とそれに係合するネジ６０２とが重複し続けることが可能な（図９Ａに示される）係合深さ５７５よりも小さい。ネジシャフト６１０と平行な向き６２０に力が付与されるのであれば、各ネジ６１２又はそれに係合するネジ６０２が曲げられたり、破損したりするおそれがある。そうした曲げや破損は、平行な向き６２０に付与された力によって引き起こされる。そのことは、各ネジ６１２と、比較的大きな係合深さ５７５（図９Ａ）で係合するネジ６０２との応力及び歪みの許容範囲内においては安全であるが、ネジ６１２と、比較的小さな係合深さ６２５で係合するネジ６０２との許容範囲からは外れるかもしれない。このように、ネジシャフト６１０と係合装置６００とが係合解除されているときそれらの間に充分な距離をおいて移動しないことによって、各ネジ６１４が破損する等の被害が発生するおそれがある。
【００３７】
図９Ｃは、ネジシャフト６６０から係合装置６５０が完全に外れた状態を示している。各ネジ６６２とそれに係合するネジ６５２とはいずれも損傷を受けることはない。極僅かな間隔６７０が存在している。その間隔６７０は、非常に小さく、実際には、部品を上手く製造するためほとんど無くてもよい。ネジシャフト６６０は、係合装置６５０に対して自由に移動することができる。
【００３８】
図１０Ａ〜１０Ｃは、図９Ａ〜図９Ｃに示された問題を克服するため設計されたネジ係合装置の斜視図である。なお、図１０Ａは、基本的な係合装置７００を示している。係合装置７００は、ネジシャフトに係合するためのネジ７０４を有したネジ部７０２を備えている。接触部７０５は、ネジ部７０２と繋がるように示されている。延長部７０６は、ネジシャフトを避けるような形で広がり、第２接触部７１０を含む第２部位７０８において終結している。種々の実施形態において、延長部７０６、第２部位７０８、及び第２接触部７１０は省略することができる。両接触部７０５，７１０の何れか一方に充分な大きさの力を付与し、ネジシャフトから離れるようにネジ部７０２を移動させると、係合装置７００は概ね直線的に移動する。そのような直線的な移動は、ネジ７０４に、図９Ｂに示す損傷に対して脆弱さをそのまま残すことになる。
【００３９】
図１０Ｂは、図９Ｂに示される損傷に対して被害を回避、又は軽減できるように改良された係合装置７２０を示している。係合装置７２０は、ネジ７２４を有したネジ部７２２を備えている。接触部７３０が連結されているが、その接触部７３０は、種々の他の実施形態では明確に定義されず、又は含まれるものでない。係合装置７２０は、第１部位７３４と第２部位７３６とに区分され、それらは、弾性部７３８によって互いに連結されている。図１０Ｂ及び図１０Ｃにそれぞれ示される実施形態において、弾性部７３８はばねとして示され、また利便性の理由から、ばねがこれらの図を通じて示されている。しかしながら、例えば、ゴムバンド、またエラストマー系素材や弾性素材を含めた他の弾性部材等も検討される。変形可能であり、元の形状にほぼ戻ることのできる素材であれば任意のものが有効である。
【００４０】
図１０Ｃは、第１部位７３４に力が付与されているものの、抗力、例えば図９Ａに示されるネジとそれに噛み合うネジとの間の摩擦力が第２部位７３６を引っ張っているときの前記係合装置７２０を示している。弾性部７３８は、それ自身が持つ弾力特性に基づいて伸縮する。そうした弾力特性は、多くの場合、付与される力と伸縮量又は変位量との間に、ある関係を提供している。例えば、ばねはばね定数ｋを有し、ここで公式Ｆ＝ｋｘ（フックの法則として公知）を適用し、ばねに付与される引張力（Ｆ）の大きさは、ばねの伸縮距離（ｘ）にばね定数ｋを掛け合わせたものと等価であることを意味する。別の弾性素材及び構造体を用いてもよく、それらの場合、別の公式を適用するが、弾性素材の原理はそのまま維持される。即ち、素材に付与される引張力が増大するのに伴い、同素材の呈する伸縮量も増大する。
【００４１】
図１０Ｃの実施形態において、同様に、引張力が増大するのに伴って、弾性部７３８の呈する伸縮量も増大する。しかしながら、ネジ７２４において、第２部位７３６に付与される摩擦力の大きさは有限であるため、引張力が増大するのに伴って、最終的には、ネジシャフトから解放されるのに充分な大きさにまで増大し、ネジシャフトから係合装置７２０が外れて、解放される。種々の実施形態において、弾性部７３８は、係合装置の解放以前に所定量の摩擦力により所定の引張量が確保されるよう選択されている。引張量は、図９Ｂに示すようなネジの損傷が発生しないことを保証するよう選択されている。引張量は、係合装置７２０とネジシャフトとの予想される係合深さを上回るように選択される。
【００４２】
ネジシャフトに第２部位７３６を保持する摩擦力とは異なる別の力についても考えられる。例えば、粘着力、磁力、電力、及び吸引力によってもまた、ネジシャフトに第２部位７３６を保持する。種々の実施形態及び応用例において、解放装置の確実な作動を保証するために、極僅かな摩擦力しか与えないように選択され得るものとして磁力が適用される。
【００４３】
図１０Ｂ〜図１０Ｃの改良点を取り入れた本発明に係る圧力解放装置の実施形態を一部裁断したものの平面図である。図１１において、圧力解放装置８００は、シリンダ８０４内にネジシャフト８０２を備え、ネジシャフト８０２は、プランジャ８０６に連結され、またシリンダ８０４は、出口８０８の一端において終結している。シリンダ８０４内において、両露出部８１０，８１２間には開口が設けられている。係合装置８２０は、露出部８１０，８１２間に配置されている。係合装置８２０は、第１部材８２２、第２部材８２４、及び弾性部材８２６を備えている。弾性部材８２６は、ばねとして示されるが、別の形態の弾性部材８２６であっても同じである。
【００４４】
ばね８２８は、ネジシャフト８０２に係合装置８２０を押すように偏位されている。係合装置８２０もまた、ピン８５２によってリンク８５０に連結されている。リンク８５０は、別のピン８５４によってギア８５６に連結されている。ギア８５６は、支持部８４６により露出部８１０，８１２に固定された軸８４８を中心に回動するように構成されている。ギア８５６は、ギア歯８４２を有している。また、外側カラー８６０も備えられ、外側カラー８６０の内壁の一部には、ギア歯８４２に対応すると共に係合可能なカラー歯８６２が設けられている。
【００４５】
図１１の実施形態は、外側カラー８６０が前後に滑動して、係合装置８２０とネジシャフト８０２との係合、及び係合解除が行われるように作用する。外側カラー８６０が第１の位置に配置されているとき、カラー歯８６２は、ギア歯８４２を第１の位置に調整し、ギア８５６を図１１に示される位置に調整する。このようにギア歯が第１の位置に配置されるとき、リンク８５０をギア８５６に連結するピン８５４は、ネジシャフト８０２に対してより近い位置にリンクを配置することを可能にする。続いて、係合装置８２０がばね８２８の付勢に負けてネジシャフト８０２に係合することを可能にする。外側カラー８６０が第２の位置に配置されるとき、カラー歯８６２は、ギア歯８４２の移動を生じさせ、それによりギア８５６を回動させる。ギア８５６が軸８４８を中心に回動すると、リンク８５０がネジシャフト８０２から引き離されて、その引張力が係合装置８２０に付与される。係合装置８２０に適用すべく引張力が付与されると、弾性部材８２６は、それ自身に行き渡る力が、ネジシャフト８０２に第２部材８２４を保持する力に打ち勝つのに充分な大きさになるまで引き伸ばされる。そして、第２部材８２４がネジシャフト８０２から急に引き離され、係合装置８２０とネジシャフト８０２との係合が解除されて、第２部材８２４のネジとネジシャフト８０２とが保護されるようになる。
【００４６】
図１２は、図１０Ｂ〜図１０Ｃの改良点を取り入れた本発明に係る圧力開放装置の実施形態を一部裁断したものの平面図である。圧力解放装置９００は、更に詳細に展開された領域９０１によって示されている。ネジシャフト９０２はシリンダ９０４内に設けられ、プランジャ９０６に連結され、また、シリンダ９０４は出口９０８において終結している。シリンダ９０４は、露出部９１０，９１２により包囲された一つの開口を有している。係合装置９２０は、露出部９１０，９１２間に配置されている。露出部９１０，９１２は、円形、長円形、長方形、又は、別の囲い込み形状をなすように連結してもよい。係合装置９２０は、ネジシャフト９０２と係合可能に構成された第１部材９２２、第２部材９２４、及び第１部材９２２を第２部材９２４に連結する弾性部材９２６を備えている。これまでのように、弾性部材９２６には、様々な種類や形状のものを採用できるが、単純明快なものとしてばねが示されている。ばね９２８は、係合装置９２０をネジシャフト９０２に押し付けるようにして配置され、偏位されている。
【００４７】
レバー９３０は、シリンダ９０４の露出部に固定された軸９３２に連結されている。レバー９３０は、リンク９４０を通じてレバー９３０を係合装置９２０に連結するピン９３４を有し、リンク９４０は、係合装置９２０のピン９４２とレバー９３０のピン９３４とを連結している。レバー９３０は、ハンドル９３６、及び中間部９３８を備えている。
【００４８】
図１２の実施形態において、レバー９３０が第１の位置に配置されるとき、リンク９４０は、係合装置９２０がネジシャフト９０２に係合することを可能にする（幾つかの実施例では、リンク９４０が係合装置９２０を押す）。ばね９２８は、係合装置９２０をネジシャフト９０２に押しそれらを係合させるための付加的な力を供給する。レバー９３０が第２の位置に配置されるとき、リンク９４０は、係合装置９２０に対し、特に第２部材９２４に力を伝達する。その力が第２部材９２４に伝達されると、ばね９２８が圧縮されると共に、ネジシャフト９０２から第２部材９２４が引き離される。弾性部材９２６は、その弾力特性により発揮される力が、第１部材９２２をネジシャフト９０２に保持する力に打ち勝つまで引張られる。そのとき、第１部材９２２は、第２部材９２４に向かって飛びつくと共に、ネジシャフト９０２から引き離されることによって、ネジシャフト９０２及び第１部材９２２の両方のネジが保護されるようになる。
【００４９】
図１２に類似した別の実施形態において、係合装置９２０は弾性部材９２６を省略してもよい。その代わりに、レバー９３０、特に中間部９３８は、充分な力がレバー９３０の撓み部に行き渡るよう伝達され、ネジシャフト９０２及び係合装置９２０のネジを保護するのに充分な距離、ネジシャフト９０２から係合装置９２０が引き離されるまでの間、レバー９３０を撓ませることが可能な弾力特性を備えるようにしてもよい。
【００５０】
図１３は、図１０Ｂ〜図１０Ｃの改良点を取り入れた本発明に係る圧力開放装置の別の実施形態を一部裁断したものの平面図である。図１３において、注射器９５０は、ネジシャフト９５４を回動可能なノブ９５２を備えている。ネジシャフト９５４は、シリンダ９５８内でプランジャ９５６に連結されている。シリンダ９５８は出口９６０を有し、膨張媒体９６２はプランジャ９５６と出口９６０との間に満たされている。圧力解放装置９７０は注射器９５０に装着されている。図１０〜図１２に図示され、説明されたものに係る係合装置９７２は、シリンダ９５８内の開口の中に配置されている。レバー９７６は、ピン９７４によってシリンダ９５８に連結されている。カラーもまた備えられ、カラーは、バンド９８０及びバックル９８２を備えている。
【００５１】
図１３の実施形態において、バンド９８０がバックル９８２と共に係合装置９７２に配置され、そのバックル９８２で留められているとき、係合装置９７２は、ネジシャフト９５４と係合するようにネジシャフト９５４に押し付けられている。バックル９８２を外してバンド９８０が緩められると、バンド９８０は、ネジシャフト９５４に係合装置９７２を押し付けて保持する力を与えなくなる。しかし、係合装置９７２とネジシャフト９５４とが既に係合され、膨張媒体９６２中にいくらか圧力が付与されていれば、係合装置９７２及びネジシャフト９５４は、摩擦力（及び幾つかの実施形態では他の力）によって係合された状態に維持される。従って、レバー９７６は、係合装置９７２に力を付与するため押圧したり、又は他の方法で移動したりすることができ、係合解除を生じさせる。
【００５２】
図１４は、本明細書で示された他の圧力解放装置と類似した形状をなし、かつ類似した機能を備えた別の圧力解放装置１１０１である。少なくとも幾つかの実施形態において、圧力解放装置１１０１は、プランジャ１１０４、係合装置１１２０、レバー１１２２、ピン１１２４、及びカラー１１２６を備えている。更に、圧力解放装置１１０１は、カラー１１２６内の少なくとも一部に配置されたハウジング１１７６を備えている。ハウジング１１７６は、レバー１１２２を押すことがハウジング１１７６の横方向への動き（即ち、プランジャ１１０４の縦軸から離れる動き）を生じさせるように、ピン１１２４で（カラー１１２６にてピン１１２４Ａを中心に回動するように）レバー１１２２に連結されている。
【００５３】
係合装置１１２０は、プランジャ１１０４に螺合するように構成され、形成されたナット１１７４を備えている。ハウジング１１７６は、圧縮ばね１１７７及びピン１１７９によってナット１１７４に連結されている。少なくとも幾つかの実施形態において、ピン１１７９の一端はハウジング１１７６に堅く固定され、他端はスロット１１８０内に滑動可能に配置されている。スロット１１８０は、上述した第１切欠６７２と似た第１又は底部切欠１１７２、及び上述した第２切欠６７３と似た第２又は頂部切欠１１７３を備えている。係合装置１１２０は、レバー１１２２を部分的に押すことによってハウジング１１７６の横方向への動きが生じるように形成されている。ピン１１７９とハウジング１１７６との固い連結、及びピン１１７９とナット１１７４との滑動可能な連結のため、ハウジング１１７６の横方向への移動が、スロット１１８０内におけるピン１１７９の移動、又は引張りを生じさせる。例えば、レバー１１２２を押す前にあっては、ピン１１７９がスロット１１８０の底部（即ち、切欠１１７２に近接した位置）に配置される。また、図１４Ａに示すようにレバー１１２２を部分的に押した後にあっては、ピン１１７９がスロット１１８０の頂部（即ち、切欠１１７３に近接した位置）に配置される。スロット１１８０がプランジャ１１０４の縦軸に対してある角度をもって配向され、そのため、スロット１１８０の頂部と底部とは縦に間隔を空けて設けられている。この縦の間隔のため、スロット１１８０の底部から頂部へのピン１１７９の移動が、結果として、又は他の方法を通じて、ナット１１７４、及び例えばプランジャ１１０４の縦方向への極僅かな移動を可能にしている。これが生じると、インフレーションルーメン（即ち、ルーメン３６）内、及び又は容器内、又は圧力解放装置１１０１の排出口１１３４内の流体圧が、スロット１１８０の上端と下端との間の縦長の空間と同じ距離（即ち、ピンの中心からピンの中心にかけて）排出口１１３４から離れる縦への移動をプランジャ１１０４に生じさせる。それ故に、インフレーションルーメン内の圧力は、排出口１１３４の流体室内の容積が増大することで軽減される（解放される）。圧力の軽減は、ナット１１７４及びプランジャ１１０４間の螺合された箇所での摩擦力を低減させ、それにより、プランジャ１１０４からナット１１７４を引き離すのに要する力が小さくなり、また様々な構成部品（例えば、プランジャ１１０４のネジ）に損傷が発生する可能性を抑制する。圧力の軽減に伴い、レバー１１２２は、ナット１１７４の位置を移動させるため更に作動することが可能になる。
【００５４】
圧縮ばね１１７７は、拡張される範囲内で、プランジャ１１０４からナット１１７４を引き離す（即ち、第２の位置に向けて移動させる）傾向にあることが理解される。レバー１１２２を押さなければ、ハウジング１１７６とナット１１７４との間には空間がほとんど存在せず、それにより圧縮ばね１１７７の伸びが阻止される。しかし、ハウジング１１７６の横方向への移動により、ハウジング１１７６とナット１１７４との間の空間１１７８が広がって、圧縮ばね１１７７の伸びと、第１位置から第２位置へのナット１１７４の移動とを許容するのに充分な大きさとなる。上述したように圧力の少なくとも一部が解放されれば、レバー１１２２を押すことがハウジング１１７６の横方向への移動を生じさせ、最終的にはピン１１７９が引っ掛かる。ピン１１７９が引っ掛かると、レバー１１２２の更なる作動が、図１４Ｂに示すプランジャ１１０４のネジとの少なくとも部分的な係合の解除を生じさせる。ナット１１７４のネジが解放されると、圧縮ばね１１７７がナット１１７４を横方向に引張り、空間１１７８内へと引き込み、第１の位置から第２の位置へのナット１１７４の移動を生じさせる。
【００５５】
この設計から、ナット１１７４を移動させるのに充分な大きさの位置エネルギを備えた圧縮ばね１１７７の使用は、プランジャ１１０４から部分的に係合が解除されるときに、少なくとも幾つかの実施形態において、圧力解放装置１１０１を特徴付ける「迅速な解放」の利点を増大させる、ことが理解される。例えば、レバー１１２２が押されると、圧力の少なくとも一部が解放されて、ナット１１７４は、プランジャ１１０４から部分的に解放される。係合が部分的に解放されると、更なるレバー１１２２の押圧が、ハウジング１１７６を横方向に移動して空間１１７８を広くする。空間１１７８が充分に広くなると、圧縮ばね１１７７は瞬時に伸びることができ、空間１１７８内にナット１１７４を引き込み、ナット１１７４とプランジャとの係合を解除する。
【００５６】
図１５は、プランジャ１２０４、係合装置１２２０、及びカラー１２２６を備えた別の実施形態の圧力解放装置１２０１である。装置１２０１は、本質的に圧力解放装置１１０１と同じ形状をなし同じ機能を備えているが、係合装置１２２０を移動するためのレバーを備える代わりに、カラー１２２６を用いている。
【００５７】
ハウジング１２７６の延長部１２８３は、カラー１２２６の内壁１２８２と接するように構成されている。カラー１２２６の内壁１２８２は、カラー１２２６が第１の位置に配置されているとき（図１５に示すように）、延長部１２８３は、ばね１２８１によりハウジング１２７６が係合装置１２２０に押圧されるように、また、カラー１２２６が第２の位置に配置されているとき（即ち、カラーがプランジャ１２０４の縦軸に沿って上下に移動すると）、延長部１２８３は、ばね１２８１の付勢に抗してハウジング１２７６を係合装置１２２０から離間移動させるように形成されている。
【００５８】
上述したものと同様に、ハウジング１２７６は、圧縮ばね１２７７及びピン１２７９によって係合装置１２２０に連結され、それらは、基本的には、圧縮ばね１１７７及びピン１２７９と同じような機能を発揮する。例えば、カラー１２２６が少なくとも部分的に移動すると、ピン１２７９がスロット１２８０内を移動する。スロット１２８０は、本質的にはスロット１１８０と同じで、切欠１２７２及び切欠１２７３を有し、例えば、切欠１２７３の近傍と切欠１２７２の近傍との間でピン１２７９が移動するようになっている。この移動が、インフレーションルーメン内の圧力を押し出し、プランジャ１２０４を縦方向に移動させることを可能にする。カラー１２２６の更なる移動によって、ピン１２７９が引っ掛かり、プランジャ１２０４とナット１２７４との係合が少なくとも部分的に解除されることを可能にする。また、圧縮ばね１２７７が伸びて、係合装置１２２０の第２の位置への移動を可能にする。
【００５９】
さて、図１６，図１７，図１８を見てみると、第１及び第２位置間における係合装置の移動に適した様々なレバーの形状が図示され、それらは上述したいずれの実施形態にも使用することができる。図１４、図１５に示されるものと類似して、各レバーは、圧力を解放するため縦方向に移動可能なプランジャとしての性能を備えている。図１６は、プランジャ１３０４、回動ピン１３２４、及びばね１３８２を含む係合装置１３２０に連結されたレバー１３３２を表している。この実施形態によれば、ばね１３８２は、（レバー１３３２を横方向に押すことによって）係合装置１３２０を第１の位置に保持するように偏位されている。レバー１３３２を押すことが、ばね１３８２の付勢に打ち勝つと共に、係合装置の位置を移動することになる。
【００６０】
また、図１６から判るように、レバー１３２２は、第１切欠１３７２及び第２切欠１３７３による開口１３７１を備えている。上述したように、開口１３７１は、プランジャ１３０４に作用する相当量の圧力を解放するための係合装置１３２０及びプランジャ１３０４の移動を許容している。
【００６１】
図１７において、ばね１４８２は、レバー１４２２の基端に連結されている。この実施形態によれば、レバー１４２２は、係合装置１４２０が第１及び第２の位置間を移動するように（プランジャ１４０４に対して）縦方向に移動可能となっている。係合装置１４２０はまた、開口１３７１に類似した１以上の開口１４７１を備えている。
【００６２】
図１８において、レバー１５２２は、第１及び第２回動ピン１５８３，１５８４を備え、レバー１５２２が第１の位置に配置されているとき、第１回動ピン１５８３が第２回動ピン１５８４の横方向で、かつ先端に位置するようになっている。レバー１５２２を第２の位置にまで押すことによって、第２回動ピン１５８４の位置変更を生じさせ、係合装置１５２０及びプランジャ１５０４の近接移動を生じさせる。係合装置１５２０はまた、開口１３７１に類似した１以上の開口１５７１を備えている。
【００６３】
ここで開示された内容は、多くの点で、唯一つの具体例にすぎないことを理解しなければならない。特に形状、大きさ、及び配置については、本発明の範囲を超えない方法によって、細部に亘り変更することは可能である。本発明の範囲は、当然のことながら、添付されたクレームにより表された文言により定義される。
【図面の簡単な説明】
【００６４】
図１は本発明と共に使用可能なバルーンカテーテルの平面図、
図２は本発明に係る圧力解放装置の一実施形態の部分断面図を有した平面図、
図３は図２の３−３線に沿った断面図、
図４は本発明に係る圧力解放装置の一実施形態の部分断面図を有した平面図、
図５は本発明に係る圧力解放装置の一実施形態の部分断面図を有した平面図、
図６は本発明に係る圧力解放装置の一実施形態の部分断面図を有した平面図、
図７Ａは図６に示す圧力解放装置の別の平面図、
図７Ｂは図６に示す圧力解放装置の別の平面図、
図８は本発明に係る圧力解放装置の一実施形態の平面図、
図９Ａ−９Ｃは生じ得る問題を説明するのに用いられる注射器の一実施形態におけるネジの拡大図、
図１０Ａ−１０Ｃは図９Ａ−９Ｃに示される問題を克服するために設計されたネジ係合装置の斜視図、
図１１は図１０Ｂ−１０Ｃの改良を取り入れた本発明に係る圧力解放装置の一実施形態の部分断面図を有した平面図、
図１２は図１０Ｂ−１０Ｃの改良を取り入れた本発明に係る圧力解放装置の一実施形態の部分断面図を有した平面図、
図１３は図１０Ｂ−１０Ｃの改良を取り入れた本発明に係る圧力解放装置の一実施形態の部分断面図を有した平面図、
図１４は本発明に係る圧力解放装置の一実施形態の部分断面図を有した平面図、
図１４Ａは図１４に示す圧力解放装置の別の平面図、
図１４Ｂは図１４に示す圧力解放装置の別の平面図、
図１５は本発明に係る圧力解放装置の一実施形態の平面図、
図１６は本発明に係る圧力解放装置の一実施形態の平面図、
図１７は本発明に係る圧力解放装置の一実施形態の平面図、及び
図１８は本発明に係る圧力解放装置の一実施形態の平面図である。
【図１】
0004749721.tif 000002
【図２】
0004749721.tif 000003
【図３】
0004749721.tif 000004
【図４】
0004749721.tif 000005
【図５】
0004749721.tif 000006
【図６】
0004749721.tif 000007
【図７Ａ】
0004749721.tif 000008
【図７Ｂ】
0004749721.tif 000009
【図８】
0004749721.tif 000010
【図９Ａ】
0004749721.tif 000011
【図９Ｂ】
0004749721.tif 000012
【図９Ｃ】
0004749721.tif 000013
【図１０Ａ】
0004749721.tif 000014
【図１０Ｂ】
0004749721.tif 000015
【図１０Ｃ】
0004749721.tif 000016
【図１１】
0004749721.tif 000017
【図１２】
0004749721.tif 000018
【図１３】
0004749721.tif 000019
【図１４】
0004749721.tif 000020
【図１４Ａ】
0004749721.tif 000021
【図１４Ｂ】
0004749721.tif 000022
【図１５】
0004749721.tif 000023
【図１６】
0004749721.tif 000024
【図１７】
0004749721.tif 000025
【図１８】
0004749721.tif 000026